(57)【要約】【課題】ケーブルを巻き付けるためのケーブル整理装置及び該ケーブル整理装置を有する電気器具提供する。【解決手段】２つのプラグ溝、と、前記収容部材の底部に設けられる巻付部と、前記巻付部の底面に凹設されると共に、一端が前記巻付部の側壁を貫通する長溝とを有する収容部材と、前記巻付部に取り付けられる中間プレートと、前記中間プレートの底部に着脱可能に取り付けられる下部プレートと、を具備し、前記２つのプラグ溝、は、間隔を置いてする前記収容部材の上面に設けられると共に、夫々該収容部材の側壁を貫通し、前記中間プレートに、前記長溝に対応し連通されるスリットが設けられ、前記下部プレートの上面に、上端が前記スリットの他端に取り付けられるスピンドルが凸設されることを特徴とする。【選択図】図６
0003175295.tif 000002
【実用新案登録請求の範囲】
【請求項１】
２つのプラグ溝、と、前記収容部材の底部に設けられると共に、前記収容部材より小径な巻付部と、前記巻付部の底面に凹設されると共に、一端が前記巻付部の側壁を貫通する長溝とを有する収容部材と、
前記巻付部に取り付けられ、上面が前記巻付部の底面に連結されると共に、前記巻付部より大径な中間プレートと、
前記中間プレートの底部に着脱可能に取り付けられ、上面が前記中間プレートの底面から一定の間隔で離れた下部プレートと、
を具備し、
前記２つのプラグ溝、は、間隔を置いてする前記収容部材の上面に設けられると共に、夫々該収容部材の側壁を貫通し、開口形成させ、
前記中間プレートに、前記長溝に対応し連通されると共に、一端が前記中間プレートの側壁を貫通するスリットが設けられ、
前記下部プレートの上面に、上端が前記スリットの他端に取り付けられるスピンドルが凸設され、
前記スピンドルの上端は、前記スリットの他端の内周面から一定の間隔で離れることを特徴とするケーブル整理装置。
【請求項２】
前記下部プレートの外周壁に、複数の位置決め溝が間隔を置いて凹設されることを特徴とする請求項１に記載のケーブル整理装置。
【請求項３】
前記２つのプラグ溝，の中の１つの下方における前記中間プレートの側壁に、固定溝が設けられることを特徴とする請求項１又は請求項２に記載のケーブル整理装置。
【請求項４】
前記長溝の他端は前記巻付部の底面の中央に位置し、
前記スリットの他端は前記中間プレートの中央に位置することを特徴とする請求項３に記載のケーブル整理装置。
【請求項５】
前記巻付部の底面に、前記中間プレートを貫通し、前記中間プレートの下方に延出される結合部材が凸設され、
前記結合部材の底面に嵌合穴が凹設され、
前記下部プレートの上面に、前記嵌合穴に着脱可能に挿嵌される嵌合シャフトが設けられることを特徴とする請求項４に記載のケーブル整理装置。
【請求項６】
前記巻付部の底面に、複数の結合穴が凹設され、
前記中間プレートの上面に、前記複数の結合穴に挿嵌される複数の結合シャフトが設けられることを特徴とする請求項５に記載のケーブル整理装置。
【請求項７】
電気器具であって、
前記電気器具は、請求項１乃至請求項６のいずれか一項に記載のケーブル整理装置を備え、
前記電気器具の側面に、２つのレールが、前記ケーブル整理装置の下部プレートの幅に対応する間隔を置いて設けられると共に、前記下部プレートは摺動可能に前記２つのレールに嵌合されることを特徴とする電気器具。
【請求項８】
前記下部プレートの底面に嵌合溝が設けられ、
前記電気器具の側面に、前記嵌合溝に嵌合される可動式位置決めビードが凸設されることを特徴とする請求項７に記載のケーブル電気器具。
【考案の詳細な説明】
【技術分野】
【０００１】
本考案は、特にケーブルを巻き付けるためのケーブル整理装置及び該ケーブル整理装置を有する電気器具に関するものである。
【背景技術】
【０００２】
携帯型電気器具が広く用いられていることから、例えば、充電器、伝送ケーブル、イヤホン及び携帯型電源など、携帯型電気器具の使用に繋がる関連アクセサリーのなかに、最も日常生活において用いられるのは、例えば、資料の伝送、またはコンピューターによる充電を行うように、携帯型電気器具とコンピューターとを電気接続させるための伝送ケーブルである。
【考案の概要】
【考案が解決しようとする課題】
【０００３】
しかしながら、一定の長さを有するケーブルを使用する時、すぐに絡まってしまい、従来の技術では、伝送ケーブルを有効に整理するための装置を提供していなかったので、非常に不便であった。
【０００４】
そこで、案出されたのが本考案であって、ケーブルの絡まりを防ぐためのケーブル整理装置、及びケーブルを簡単に収容し、使用上の利便性を向上させるための該ケーブル整理装置を有する電気器具を提供することを目的としている。
【課題を解決するための手段】
【０００５】
本願の請求項１の考案は、２つのプラグ溝、と、前記収容部材の底部に設けられると共に、前記収容部材より小径な巻付部と、前記巻付部の底面に凹設されると共に、一端が前記巻付部の側壁を貫通する長溝とを有する収容部材と、
前記巻付部に取り付けられ、上面が前記巻付部の底面に連結されると共に、前記巻付部より大径な中間プレートと、
前記中間プレートの底部に着脱可能に取り付けられ、上面が前記中間プレートの底面から一定の間隔で離れた下部プレートと、
を具備し、
前記２つのプラグ溝、は、間隔を置いてする前記収容部材の上面に設けられると共に、夫々該収容部材の側壁を貫通し、開口形成させ、
前記中間プレートに、前記長溝に対応し連通されると共に、一端が前記中間プレートの側壁を貫通するスリットが設けられ、
前記下部プレートの上面に、上端が前記スリットの他端に取り付けられるスピンドルが凸設され、
前記スピンドルの上端は、前記スリットの他端の内周面から一定の間隔で離れることを特徴とするケーブル整理装置、を提供する。
【０００６】
本願の請求項２の考案は、前記下部プレートの外周壁に、複数の位置決め溝が間隔を置いて凹設されることを特徴とする請求項１に記載のケーブル整理装置、を提供する。
【０００７】
本願の請求項３の考案は、前記２つのプラグ溝，の中の１つの下方における前記中間プレートの側壁に、固定溝が設けられることを特徴とする請求項１又は請求項２に記載のケーブル整理装置、を提供する。
【０００８】
本願の請求項４の考案は、前記長溝の他端は前記巻付部の底面の中央に位置し、
前記スリットの他端は前記中間プレートの中央に位置することを特徴とする請求項３に記載のケーブル整理装置、を提供する。
【０００９】
本願の請求項５の考案は、前記巻付部の底面に、前記中間プレートを貫通し、前記中間プレートの下方に延出される結合部材が凸設され、
前記結合部材の底面に嵌合穴が凹設され、
前記下部プレートの上面に、前記嵌合穴に着脱可能に挿嵌される嵌合シャフトが設けられることを特徴とする請求項４に記載のケーブル整理装置、を提供する。
【００１０】
本願の請求項６の考案は、前記巻付部の底面に、複数の結合穴が凹設され、
前記中間プレートの上面に、前記複数の結合穴に挿嵌される複数の結合シャフトが設けられることを特徴とする請求項５に記載のケーブル整理装置、を提供する。
【００１１】
本願の請求項７の考案は、電気器具であって、
前記電気器具は、請求項１乃至請求項６のいずれか一項に記載のケーブル整理装置を備え、
前記電気器具の側面に、２つのレールが、前記ケーブル整理装置の下部プレートの幅に対応する間隔を置いて設けられると共に、前記下部プレートは摺動可能に前記２つのレールに嵌合されることを特徴とする電気器具、を提供する。
【００１２】
本願の請求項８の考案は、前記下部プレートの底面に嵌合溝が設けられ、
前記電気器具の側面に、前記嵌合溝に嵌合される可動式位置決めビードが凸設されることを特徴とする請求項７に記載のケーブル電気器具、を提供する。
【考案の効果】
【００１３】
本考案は上記の課題を解決するものであり、ケーブルの両端のプラグを前記プラグ溝に収容し、前記ケーブルの本体を前記巻付部の長溝及び中間プレートのスリットを通してに巻き付け、前記ケーブルを絡ませずにすぐ再び使用できるように整理し収容することができる。
【００１４】
前記ケーブル整理装置に収容されるケーブルを再び使用する時に、絡まりを防止するように、ケーブルを前記位置決め溝に位置決めさせ、取り出されたケーブルの長さを制御することにより、さらに利便性を向上させることができる。
【００１５】
プラグが前記プラグ溝に収容される前記ケーブルを前記固定溝で固定させることにより、ケーブルの本体をよく固定させ、確実に前記スピンドルに巻き付けることができる。
【００１６】
また、前記ケーブル整理装置の下部プレートの両側を、摺動可能に前記電気器具の側面のレールに嵌合させ、前記下部プレートの嵌合溝と外電気器具のビードとを嵌合させ組み合わせると、前記ケーブル整理装置と電気器具とを一体化させ、便利に携行することができる。
【図面の簡単な説明】
【００１７】
【図１】本考案に係るケーブル整理装置の使用状態を示す斜視図である。
【図２】本考案に係るケーブル整理装置の使用状態を示す分解斜視図である。
【図３】本考案に係るケーブル整理装置の使用状態を示す斜視図である。
【図４】本考案に係るケーブル整理装置の使用状態を示す側面断面図である。
【図５】本考案に係るケーブル整理装置の使用状態を示す他の斜視図である。
【図６】本考案に係るケーブル整理装置を有する電気器具の使用状態を示す分解斜視図である。
【図７】本考案に係るケーブル整理装置を有する電気器具の使用状態を示す斜視図である。
【考案を実施するための形態】
【００１８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１９】
図１及び図２に示すように、本考案のケーブル整理装置は、例えば、本体４３と、前記本体４３の両端に夫々取り付けられるプラグ４１，４２とを有するケーブル４０を収容するためのものである。
【００２０】
本考案のケーブル整理装置は、矩形ブロックである収容部材１０と、矩形プレートである中間プレート２０と、矩形プレートである下部プレート３０とを具備する。
【００２１】
前記収容部材１０は、２つのプラグ溝１１、１２と、前記収容部材１０の底部に設けられると共に、前記収容部材１０より小径な巻付部１３と、前記巻付部１３の底面に凹設される長溝１４とを有する。前記プラグ溝１１、１２は、前記収容部材１０の前方側壁を貫通し、開口１１０、１２０を形成させる。前記長溝１４の一端が前記巻付部１３の側壁を貫通し、開口１４０を形成させ、他端は前記巻付部１３の底面の中央に位置する。前記長溝１４の他端の近傍における前記巻付部１３の底面に、前記中間プレート２０を貫通し、前記中間プレート２０の下方に延出される結合部材１５が凸設され、前記結合部材１５の底面に嵌合穴１５０が凹設される。また、前記巻付部１３の底面に、複数の結合穴１６が凹設される。
【００２２】
図２及び図３に示すように、前記中間プレート２０は、前記巻付部１３に取り付けられ、上面が前記巻付部１３の底面に連結されると共に、前記巻付部１３より大径なものである。前記中間プレート２０に、前記長溝１４に対応し連通されるスリット２１が設けられ、前記スリット２１の一端が前記中間プレート２０の側壁を貫通し、他端は前記中間プレート２０の中央に位置する。
【００２３】
前記中間プレート２０の上面に、複数の結合シャフト２２が設けられる。前記複数の結合シャフト２２を前記収容部材１０の底部の複数の結合穴１６に挿嵌させることにより、前記中間プレート２０と前記収容部材１０とを結合させることができる。前記収容部材１０の結合部材１５が前記中間プレート２０のスリット２１の一端を貫通し、前記中間プレート２０の下方にまで延出される。具体的に、図面に示された実施例のように、前記プラグ溝１２の開口１２０の下方における前記中間プレート２０の側壁に、固定溝２３が設けられる。
【００２４】
図２に示すように、前記下部プレート３０は、前記中間プレート２０の底部に着脱可能に取り付けられ、上面が前記中間プレート２０の底面から一定の間隔で離れたものである。前記下部プレート３０の上面の中央部に、上端が前記スリット２１の他端に取り付けられるスピンドル３１が凸設されると共に、前記下部プレート３０と前記中間プレート２０とを着脱可能に結合させるために、前記嵌合穴１５０に着脱可能に挿嵌される嵌合シャフト３２が設けられる。図４に示すように、前記スピンドル３１の上端は、前記スリット２１の他端の内周面から一定の間隔で離れる。また、前記下部プレート３０の外周壁に、複数の位置決め溝３３が間隔を置いて凹設されると共に、前記下部プレート３０の底面に嵌合溝３４が設けられる。
【００２５】
図３及び図４に示すように、前記ケーブル４０を収容する時、先ず前記下部プレート３０を外し、前記プラグ４１を前記プラグ溝１１に収容し、本体４３を開口１１０を通して前記巻付部１３の外周壁に巻き付けてから、前記長溝１４及びスリット２１、具体的には、前記スリット２１の内周面２２０に対応する箇所を通して、中間プレート２０の下方に到達させることにより、前記プラグ４１を収容部材１０に固定させると共に、前記ケーブル４０の本体４３の一部を前記収容部材１０と中間プレート２０との間に確実に収容することができる。
【００２６】
図４及び図５に示すように、前記下部プレート３０を前記中間プレート２０の下方に取り付け、前記スピンドル３１の上端を前記スリット２１の他端に取り付けることにより、前記スリット２１の内周面２２０に対応する箇所から延出される前記ケーブル４０の本体４３の他の部分を前記スピンドル３１の外周壁に巻き付け、前記中間プレート２０と前記下部プレート３０との間に収容する。前記プラグ４２の近傍に於ける本体４３は、前記固定溝２３を通し、開口１２０で位置決めされてから、プラグ４２をプラグ溝１２に固定させることにより、ケーブル４０を収容する。
【００２７】
前記ケーブル４０を再び使用する時、先ず前記プラグ４１，４２を前記プラグ溝１１，１２から取り出し、ケーブル４０の本体４３を前記下部プレート３０の複数の位置決め溝３３の一つに固定させ、必要とされる長さを有するケーブル４０の本体４３の一部を取り出して使用する。
【００２８】
図６及び図７に示すように、本考案はさらに前記ケーブル整理装置を有する、例えば携帯型電源や、充電用変圧器などの電気器具５０を提供する。前記電気器具５０の側面に、間隔を置いて２つの突出部５１が設けられる。前記２つの突出部５１の内側壁に、夫々レール５１０が形成される。前記２つのレール５１０の距離は、前記ケーブル整理装置の下部プレート３０の幅に対応するものである。さらに、前記電気器具５０の側面に、可動式位置決めビード５２が凸設される。前記ケーブル整理装置の下部プレート３０の両側を摺動可能に前記２つのレール５１０に嵌合させると共に、前記可動式位置決めビード５２を前記嵌合溝３４に嵌合させることにより、前記電気器具５０と前記ケーブル整理装置とを便利に携行できるように結合させることができる。
【産業上の利用可能性】
【００２９】
本考案は上記の構成を有するので、ケーブルの絡まりを防ぐためのケーブル整理装置、及びケーブルを簡単に収容し、使用上の利便性を向上させるための該ケーブル整理装置を有する電気器具を提供することができる。
【符号の説明】
【００３０】
１０    収容部材
１１０  開口
１１    プラグ溝
１２    プラグ溝
１２０  開口
１３    巻付部
１４０  開口
１４    長溝
１５０  嵌合穴
１５    結合部材
１６    結合穴
２０    中間プレート
２１    スリット
２２    結合シャフト
２３    固定溝
３０    下部プレート
３１    スピンドル
３２    嵌合シャフト
３３    位置決め溝
３４    嵌合溝
４０    ケーブル
４１    プラグ
４２    プラグ
４３    本体
５０    電気器具
５１０  レール
５１    突出部
５２    可動式位置決めビード
【図１】
0003175295.tif 000003
【図２】
0003175295.tif 000004
【図３】
0003175295.tif 000005
【図４】
0003175295.tif 000006
【図５】
0003175295.tif 000007
【図６】
0003175295.tif 000008
【図７】
0003175295.tif 000009
【手続補正書】
【提出日】平成24年2月27日(2012.2.27)
【手続補正１】
【補正対象書類名】実用新案登録請求の範囲
【補正対象項目名】請求項８
【補正方法】変更
【補正の内容】
【請求項８】
前記下部プレートの底面に嵌合溝が設けられ、
前記電気器具の側面に、前記嵌合溝に嵌合される可動式位置決めビードが凸設されることを特徴とする請求項７に記載の電気器具。